(57)【要約】【課題】  コンピュータネットワークを介して商品を注文した者に対しても、効果的に他の商品の購入意欲を高めることが可能な商品の製造方法および広告情報管理システムを提供する。【解決手段】  第１工程では、包装体Ｐに組立可能な包装体の半製品の表面に内容物である商品に関する情報を印刷するとともに、情報を印刷可能な第１の領域Ｒ１と、第２の領域Ｒ２を備えた、印刷済の包装体の半製品を製造し、第２工程では、印刷済の包装体の半製品を組み立てて、組み立てられた包装体の半製品の中に内容物を充填して封緘することにより、内容物を収納し封緘された包装体Ｐを製造するとともに、内容物に関する日付情報を第１の領域Ｒ１に印刷し、第３工程では、包装体Ｐの第２の領域Ｒ２に対して、内容物とは異なる商品の広告情報と、異なる商品の注文を行うためのサイトへのアクセス情報を印刷する。【選択図】  図６
2020024518.tif 000002
【特許請求の範囲】
【請求項１】
内容物を収納可能な包装体の半製品を製造する第１工程と、
前記包装体の半製品に内容物を収納し封緘することで内容物が収納し封緘された包装体を製造する第２工程と、
前記内容物が収納し封緘された包装体に広告情報を印刷することにより、注文者に対して出荷する商品を製造する第３工程と、を備えた商品の製造方法であって、
前記第１工程では、包装体に組立可能な包装体の半製品であって、当該包装体の半製品の表面に内容物である商品に関する情報を印刷するとともに、情報を印刷可能な第１の余白領域と、第２の余白領域を備えた、印刷済の包装体の半製品を製造し、
前記第２工程では、前記印刷済の包装体の半製品を組み立てて、組み立てられた包装体の半製品の中に内容物を充填して封緘することにより、内容物を収納し封緘された包装体を製造するとともに、内容物に関する日付情報を前記第１の余白領域に印刷し、
前記第３工程では、前記包装体の前記第２の余白領域に対して、内容物とは異なる商品の広告情報と、前記異なる商品の注文を行うためのサイトにアクセスするためのアクセス情報を印刷する、
ことを特徴とする商品の製造方法。
【請求項２】
前記第３工程において、前記異なる商品は、前記注文者の属性に基づいて選定されることを特徴とする請求項１に記載の商品の製造方法。
【請求項３】
内容物を収納可能な包装体の半製品を製造する第１工程と、
前記包装体の半製品に内容物を収納し封緘することで内容物が収納し封緘された包装体を製造する第２工程と、
前記内容物が収納し封緘された包装体に、当該内容物と異なる商品の広告情報を印刷することにより、注文者に対して出荷する商品を製造する第３工程と、を用いた商品の製造に関して、前記広告情報を管理するシステムであって、
内容物である商品に関する情報である商品情報を記憶した商品情報記憶手段と、
前記商品を特定する情報と、前記商品とは異なる商品の情報を対応付けて記憶した広告関連情報記憶手段と、
コンピュータネットワークを介した注文に基づいて、注文された商品とは異なる商品を特定し、特定された商品を広告するための広告情報と、当該広告される商品の注文を行うためのサイトへのアクセス情報を取得する広告情報取得手段と、
前記取得された広告情報とアクセス情報を、前記第３工程において印刷を行う印刷機に出力する手段と、
を有することを特徴とする広告情報管理システム。
【請求項４】
前記商品情報記憶手段は、前記広告情報取得手段が前記広告情報を取得した回数を記録することを特徴とする請求項３に記載の広告情報管理システム。
【発明の詳細な説明】
【技術分野】
【０００１】
本発明は、複数の部門において包装体に印刷を行うための技術に関する。
【背景技術】
【０００２】
従来、消費者はコンビニエンスストア、スーパー等の実店舗で様々な商品を購入してきた。実店舗で商品を購入する際、消費者は、目的物の商品を購入するのに際し、他の商品も視界に入るので、他の商品の購入意欲を惹起することが可能である。具体的には、関連する商品（例えば肉と卵）を陳列する、レジ付近でも商品を陳列する、等の工夫がなされている。この際、商品の外装の見映えを良くしたり、派手なものとしたりすることにより、商品を目立たせて、購入目的外であった商品に注目させる工夫もなされている。
【０００３】
近年では、インターネットを介してＥＣサイトにアクセスし、商品を特定して注文することも増えてきている。ＥＣサイトでは、目的物の商品を選択した場合、スマートフォン等の画面の頭部分に「お勧め商品」を出すことで、他の商品の購入を誘引している。しかし、スマートフォン等を使った購入者は、目的の商品の画像と値段と購入個数の設定に集中するため、上記の「お勧め商品」は無視される傾向にあり、少なくとも、誘引効果は低い。一方、ある商品の包装に、異なる商品の広告を印刷しておくことにより、ある商品の購入者に異なる商品を広告宣伝する技術も提案されている（特許文献１参照）。
【先行技術文献】
【特許文献】
【０００４】
【特許文献１】特開平２００４−１２３１５３号公報
【発明の概要】
【発明が解決しようとする課題】
【０００５】
そこで、本発明は、コンピュータネットワークを介して商品を注文した者に対しても、効果的に他の商品の購入意欲を高めることが可能な商品の製造方法および広告情報管理システムを提供することを課題とする。
【課題を解決するための手段】
【０００６】
上記課題を解決するため、本発明では、
内容物を収納可能な包装体の半製品を製造する第１工程と、
前記包装体の半製品に内容物を収納し封緘することで内容物が収納し封緘された包装体を製造する第２工程と、
前記内容物が収納し封緘された包装体に広告情報を印刷することにより、注文者に対して出荷する商品を製造する第３工程と、を備えた商品の製造方法であって、
前記第１工程では、包装体に組立可能な包装体の半製品であって、当該包装体の半製品の表面に内容物である商品に関する情報を印刷するとともに、情報を印刷可能な第１の余白領域と、第２の余白領域を備えた、印刷済の包装体の半製品を製造し、
前記第２工程では、前記印刷済の包装体の半製品を組み立てて、組み立てられた包装体の半製品の中に内容物を充填して封緘することにより、内容物を収納し封緘された包装体を製造するとともに、内容物に関する日付情報を前記第１の余白領域に印刷し、
前記第３工程では、前記包装体の前記第２の余白領域に対して、内容物とは異なる商品の広告情報と、前記異なる商品の注文を行うためのサイトにアクセスするためのアクセス情報を印刷する、
ことを特徴とする商品の製造方法を提供する。
【０００７】
また、本発明の商品の製造方法は、前記第３工程において、前記異なる商品は、前記注文者の属性に基づいて選定されることを特徴とする。
【０００８】
また、本発明では、
内容物を収納可能な包装体の半製品を製造する第１工程と、
前記包装体の半製品に内容物を収納し封緘することで内容物が収納し封緘された包装体を製造する第２工程と、
前記内容物が収納し封緘された包装体に、当該内容物と異なる商品の広告情報を印刷することにより、注文者に対して出荷する商品を製造する第３工程と、を用いた商品の製造に関して、前記広告情報を管理するシステムであって、
内容物である商品に関する情報である商品情報を記憶した商品情報記憶手段と、
前記商品を特定する情報と、前記商品とは異なる商品の情報を対応付けて記憶した広告関連情報記憶手段と、
コンピュータネットワークを介した注文に基づいて、注文された商品とは異なる商品を特定し、特定された商品を広告するための広告情報と、当該広告される商品の注文を行うためのサイトへのアクセス情報を取得する広告情報取得手段と、
前記取得された広告情報とアクセス情報を、前記第３工程において印刷を行う印刷機に出力する手段と、
を有することを特徴とする広告情報管理システムを提供する。
【０００９】
また、本発明の広告情報管理システムは、前記商品情報記憶手段は、前記広告情報取得手段が前記広告情報を取得した回数を記録することを特徴とする。
【発明の効果】
【００１０】
本発明によれば、コンピュータネットワークを介して商品を注文した者に対しても、効果的に他の商品の購入意欲を高めることが可能となるという効果を奏する。
【図面の簡単な説明】
【００１１】
【図１】本発明の一実施形態に係る広告情報管理システムの構成図である。
【図２】印刷管理サーバ１０の詳細を示す図である。
【図３】利用者端末４０の詳細を示す図である。
【図４】各サーバが管理する情報の一例を示す図である。
【図５】本実施形態に係る商品の製造方法を示すフローチャートである。
【図６】印刷領域の一例を示す図である。
【発明を実施するための形態】
【００１２】
＜１．システム構成＞
以下、本発明の好適な実施形態について図面を参照して詳細に説明する。図１は、本発明の一実施形態に係る広告情報管理システムの構成図である。図１において、１０は印刷管理サーバ、２０は充填管理サーバ、３０は販売管理サーバ、４０は利用者端末、５０はネットワークである。印刷管理サーバ１０、充填管理サーバ２０、販売管理サーバ３０はインターネット等の公衆のネットワーク５０に接続されており、互いにデータの送受信が可能となっている。図１の例では、説明の便宜上、利用者端末４０を１台のみ示しているが、実際には、多数の利用者端末４０が接続されており、多くの利用者が利用可能なシステムとなっている。印刷管理サーバ１０、充填管理サーバ２０、販売管理サーバ３０は、それぞれ３つの部門である印刷会社、食品会社、通販会社で用いられる印刷機に接続されており、各サーバが管理する情報を用いて、内容物を収納可能な包装体に対して、印刷機が印刷を行うようになっている。
【００１３】
印刷管理サーバ１０は、通販会社において印刷に用いられる広告画像の使用状況を管理するサーバコンピュータである。図２は、印刷管理サーバ１０のハードウェア構成図である。印刷管理サーバ１０は、汎用のサーバコンピュータで実現することができ、図２に示すように、ＣＰＵ（Central Processing Unit）１０ａと、コンピュータのメインメモリであるＲＡＭ（Random Access Memory）１０ｂと、ＣＰＵが実行するプログラムやデータを記憶するための大容量の記憶装置１０ｃ（例えば、ハードディスク、フラッシュメモリ等）と、キーボード、マウス等の入力機器からの入力を受け付ける入力Ｉ／Ｆ（インタフェース）１０ｄと、外部装置（データ記憶媒体等）とデータ通信するためのデータ入出力Ｉ／Ｆ（インタフェース）１０ｅと、表示装置（液晶ディスプレイ等）に情報を送出するための表示出力Ｉ／Ｆ（インタフェース）１０ｆと、ネットワーク５０を介して利用者端末４０等の他のコンピュータとネットワーク通信を行うための通信部１０ｇと、を備え、互いにバスを介して接続されている。
【００１４】
充填管理サーバ２０は、食品会社において印刷に用いられる情報を管理するサーバコンピュータである。販売管理サーバ３０は、通販会社において印刷に用いられる広告商品に関する情報を管理するサーバコンピュータである。充填管理サーバ２０、販売管理サーバ３０は、汎用のサーバコンピュータで実現することができる。そのため、図２に示した印刷管理サーバ１０と同様なハードウェア構成となっている。
【００１５】
印刷管理サーバ１０、充填管理サーバ２０、販売管理サーバ３０は、それぞれ物理的には１台のコンピュータで実現されていてもよいし、複数台のコンピュータで実現されていてもよい。また、ネットワーク５０上で複数に分散されたクラウドシステムとして実現されていてもよい。
【００１６】
印刷管理サーバ１０は、記憶装置１０ｃに記憶されたプログラムをＲＡＭ１０ｂに読み込んで、ＣＰＵ１０ａが実行することにより、広告情報管理システム１００内において、印刷管理サーバ１０としての役割を果たすように機能する。充填管理サーバ２０、販売管理サーバ３０も同様に、記憶装置に記憶されたプログラムをＲＡＭに読み込んで、ＣＰＵが実行することにより、広告情報管理システム１００内において、充填管理サーバ２０、販売管理サーバ３０としての役割を果たすように機能する。
【００１７】
また、印刷管理サーバ１０内の記憶装置１０ｃや、充填管理サーバ２０、販売管理サーバ３０内の記憶装置は、データベースとしての役割も果たしている。ＣＰＵ１０ａ等が所定のプログラムを実行して記憶装置１０ｃ等に蓄積されたデータを扱うことにより、包装体に関連した情報を管理するためのデータベースが実現される。
【００１８】
利用者端末４０は、商品の購入のために注文を行う利用者が利用する端末装置である。図３は、利用者端末４０のハードウェア構成図である。利用者端末４０は、多機能の携帯型端末であるスマートフォンにより実現される。スマートフォンには、アプリと呼ばれる専用のプログラムが組み込まれていてもよい。図３に示すように、利用者端末４０は、ＣＰＵ（Central Processing Unit）４０ａと、メインメモリであるＲＡＭ（Random Access Memory）４０ｂと、ＣＰＵが実行するプログラムやデータを記憶するための不揮発性の記憶装置４０ｃ（例えば、ハードディスク、フラッシュメモリ等）と、キーボード、タッチパネル等の指示入力部４０ｄと、外部装置（データ記憶媒体等）とデータ通信するためのデータ入出力Ｉ／Ｆ（インタフェース）４０ｅと、表示部（液晶ディスプレイ等）４０ｆと、ネットワーク５０を介して印刷管理サーバ１０等の他のコンピュータとネットワーク通信を行うための通信部４０ｇと、写真撮影を行うカメラ部４０ｈと、他の媒体とネットワーク５０を介さずに直接無線通信を行う近距離無線通信部４０ｉと、ＧＰＳ衛星から信号を受信するＧＰＳ受信部４０ｊと、マイクロフォンからの音声入力やスピーカーからの音声出力を行う音声処理部４０ｋと、を備え、互いにバスを介して接続されている。
【００１９】
利用者端末４０としては、ＣＰＵの演算処理部等を備え、情報処理機能、ネットワーク通信機能等を有していれば、ノートＰＣ、タブレット等、スマートフォン以外のものを用いることも可能である。本実施形態の広告情報管理システムにおいて、利用者端末４０として利用するためには、ＥＣ（Electronic Commerce：電子商取引）サイトを開設している販売管理サーバ３０にアクセスするためのブラウザやアプリと呼ばれるソフトウェアが必要となる。
【００２０】
図４は、印刷管理サーバ１０、充填管理サーバ２０、販売管理サーバ３０で管理される情報を示す図である。図４（ａ）は、印刷管理サーバ１０内の商品情報記憶手段が記憶、管理する情報である。印刷管理サーバ１０においては、商品に関する情報である商品情報が記憶されている。ここでは、商品が菓子である場合を例にとって示している。図４（ａ）に示すように、商品を特定する識別情報である商品ＩＤに対応付けて、商品名、味、内容量、商品画像、その他の情報が記憶されている。ここでは、その他の情報については省略してある。商品画像としては、印刷管理サーバ１０における商品画像の記憶位置が記録してある。商品ＩＤは、商品の種類を特定している。商品の種類とは、いわゆる商品名と１対１で対応するものではなく、商品名が同一であれば、全て同一となるわけではない。例えば、商品が菓子の場合、イチゴ味とリンゴ味では異なる種類となる。また、商品自体のサイズが異なっている場合も異なる種類となる。また、商品自体は全く同じであっても、１箱（包材）に入っている個数によりが異なっている場合も異なる種類となり、異なる商品ＩＤが付与されている。これは、例えば、商品名が同じであっても、イチゴ味とリンゴ味では、商品画像に含まれる絵柄も異なるためであり、包装体への印刷内容が異なるためである。
【００２１】
図４（ｂ）は、充填管理サーバ２０が管理する情報である。充填管理サーバ２０においては、環境ＩＤ、プラントＩＤ、充填機ＩＤが対応付けて記憶されている。プラントＩＤ、充填機ＩＤは、それぞれ商品を包装体に充填するプラント、充填機を特定する識別情報である。環境ＩＤは、商品が包装に充填される環境を特定する識別情報である。充填される環境は、プラントと充填機の組合せにより特定される。したがって、ここでは、環境ＩＤを、プラントＩＤと充填機ＩＤを連結したものとしている。環境ＩＤに対応付けて他の情報を記憶しておくこともできるが、ここでは、他の情報については省略してある。
【００２２】
図４（ｃ）は、販売管理サーバ３０内の広告関連情報記憶手段が記憶、管理する情報である。販売管理サーバ３０においては、広告すべき商品の識別情報である広告商品に関する情報である広告関連情報が記憶されている。広告関連情報として、広告商品ＩＤに対応付けて、広告画像、商品ＩＤ、購入者セグメント、アクセス情報が記憶されている。広告すべき商品とは、包装体の内容物である商品とは異なる商品であり、包装体の内容物である商品を販売する際に、広告したい商品である。広告商品ＩＤも商品を特定する識別情報であるため、商品ＩＤと同じ態様となっている。そのため、図４（ｃ）に示すように、広告すべき商品の識別情報である広告商品ＩＤは、包装体の内容物である商品の識別情報である商品ＩＤとは異なっている。広告画像は、内容物である商品とは異なる商品である広告商品を広告するための情報であり、広告情報である。広告情報としては、必ずしも画像の形態で記憶しておく必要はないが、本実施形態では、画像の形態の広告画像としている。広告商品ＩＤに対応付けてさらに他の情報を記憶しておくこともできるが、ここでは、他の情報については省略してある。
【００２３】
＜２．処理動作＞
次に、図１に示した本実施形態に係る広告情報管理システムの処理動作とともに、本実施形態に係る商品の製造方法について説明する。本実施形態に係る商品の製造方法は、３つの各部門において、包装体に対して加工を行うとともに商品を充填し、商品を製造する方法である。本実施形態に係る広告情報管理システムは、本実施形態に係る商品の製造方法を用いた商品の製造過程において、広告情報を管理するシステムである。本実施形態では、印刷会社、食品会社、通販会社の３つの会社を、それぞれ３つの部門としている。まず、印刷会社で、第１領域、第２領域を残して、包装体に主要な印刷を行う。そして、食品会社では、主要な印刷済みの包装体に食品を充填するとともに、包装体の第１領域に日付情報の印刷を行う。最後に、通販会社で、主要な印刷済みで、食品充填済みの包装体の第２領域に広告情報の印刷を行う。図１５は、本実施形態に係る商品の製造方法を示すフローチャートである。以下、各部門における処理について図５を用いて詳細に説明していく。
【００２４】
＜２．１．印刷会社＞
最初に、印刷会社において、包装体に印刷を行って包装体の半製品を製造する（第１工程）。包装体の大きさ、材質としては、特に限定されず、どのような大きさ、材質であってもよい。包装体の材質としては、充填される内容物を保護、保存するために必要な特性を備えていればよく、合成樹脂、紙、これらの積層体等を用いることができる。本実施形態では、第１工程において、後述するように、固定情報の印刷を行う。固定情報と可変情報では、印刷の方式が異なり、必要な適性も異なる。このため、固定情報に適応した材質の包装体を用いることが好ましい。
【００２５】
上述の固定情報とは、各商品（ここでは食品）単位の包装体ごとに、印刷される内容が変わらず、原則として全ての商品に対して固定された同じ内容の情報を意味する。例えば、商品の外観を示す絵柄や、商品の特性を説明する情報等、同種の商品であれば各個体によって変わらない情報である。第１工程においては、図４（ａ）に示したような商品情報を固定情報として印刷する。
【００２６】
図６は、印刷対象である包装体Ｐの正面図である。図６に示す正面図は、全体として薄板状の六面体における面積が最も大きい二面のうちの一方である正面を示している。図６の例では、図６（ａ）に示すように、主要領域Ｒ０、第１領域Ｒ１、第２領域Ｒ２が設定されている。第１工程においては、主要領域Ｒ０に印刷を行う。主要領域Ｒ０は、包装体Ｐの内容物を示す情報が印刷される。内容物を示す情報としては、内容物の外観の絵柄、写真や、商品名、説明等の固定情報である。
【００２７】
固定情報の印刷は、固定情報を包装体Ｐの所定の位置である主要領域Ｒ０に印刷することにより行われる。固定情報の印刷の態様は特に限定されず、様々な態様で印刷することが可能である。例えば、絵柄、図形、写真、文字、模様等や、それらの組み合わせ等の態様とすることができる。また、１色だけの印刷であってもよいし、２色以上の多色で印刷を行ってもよい。
【００２８】
固定情報の印刷方式としては、公知の様々な印刷方式を用いることができるが、同一内容の印刷を、大量かつ鮮明に行うのに適したオフセット印刷、グラビア印刷等の印刷方式を用いることが好ましい。
【００２９】
また、印刷会社では、商品の種類（商品＋味）に応じたコード情報も主要領域Ｒ０に印刷する。コード情報の態様としては、１次元のバーコードや、２次元コードがある。２次元コードとしては、ＱＲコード（登録商標）を用いることができる。このコード情報には、商品の種類を特定する情報を記録しておくことができる。
【００３０】
例えば、「商品名Ａ、イチゴ味、１０個入り」、「商品名Ａ、イチゴ味、５個入り」、「商品名Ａ、リンゴ味、１０個入り」には、互いに異なる情報を記録したコード情報が生成される。このコード情報も、商品の種類が定まれば同一となるため、固定情報として扱うことができる。したがって、オフセット印刷、グラビア印刷等の印刷方式を用いることができる。印刷会社においては、印刷管理サーバ１０に接続された印刷機により、商品ＩＤに対応した商品情報をコード情報の態様で印刷する。
【００３１】
固定情報の印刷の結果、図６（ｂ）に示したような包装体の半製品が得られる。図６（ｂ）において、網掛けが施された箇所は、印刷がなされた箇所を示している。第１工程における処理の後では、主要領域Ｒ０以外は、余白領域として残る。そのため、第１領域Ｒ１、第２領域Ｒ２は、それぞれ、第１の余白領域と、第２の余白領域として印刷されない状態で残ることになる。
【００３２】
このようにして、第１工程では、包装体に組立可能な包装体の半製品であって、当該包装体の半製品の表面に内容物である商品に関する情報を印刷するとともに、情報を印刷可能な第１の余白領域と、第２の余白領域を備えた、印刷済の包装体の半製品を製造する。
【００３３】
＜２．２．食品会社＞
次に、食品会社において、包装体に印刷を行って包装体に内容物を充填し、内容物が収納された商品の製造を行う（第２工程）。具体的には、まず、半製品の状態である印刷済の包装体を組み立てて、組み立てられた包装体Pの中に内容物を充填して封緘することにより、内容物を収納して封緘する。これにより封緘された包装体が製造される。さらに、第２工程においては、包装体に可変情報の印刷が行われる。可変情報の印刷とは、各商品（ここでは食品）単位の包材ごとに、印刷される内容が変わり、原則として商品ごとに異なる内容の印刷を示す。個体ごとに完全に異なるものもあるが、複数の個体について同一内容となるものもある。例えば、各包装体に内容物の収納を行うプラント、充填機を特定するための環境ＩＤ等の識別情報や、内容物を収納した日付、収納した日付により定まる消費期限・賞味期限等の日付情報が該当する。識別情報は、各個体によって異なるが、日付情報は、同日に充填された商品については、全て同一となる。
【００３４】
環境ＩＤとしては、充填を行うプラント、充填を行う充填機、を特定する情報を用いる。したがって、識別情報は、異なるプラントで充填が行われる場合だけでなく、同じプラントで充填が行われる場合であっても、異なる充填機で充填が行われる場合にも、異なるものとなる。環境ＩＤは、プラントや充填機を特定できる情報であれば、どのような態様で形成されていてもよいが、視認により内容が理解可能な態様で形成されていることが好ましい。例えば、図４（ｂ）に示したように、プラント名をアルファベットで簡略化して表したものや、充填機を示す番号等を連続した態様で形成しておくことができる。
【００３５】
可変情報の印刷は、可変情報を包装体Ｐの第１領域Ｒ１に印刷することにより行われる。可変情報の印刷の結果、図６（ｃ）に示したような包装体が得られる。図６（ｃ）において、網掛けが施された箇所は、印刷がなされた箇所を示している。第２工程における処理の後では、主要領域Ｒ０、第１領域Ｒ１以外の、第２領域Ｒ２は、余白領域として残る。この時点において、余白領域はあるものの、従来の包装体と同様の機能をもつ包装体は完成する。すなわち、内容物が収納・封緘され、商品の説明等（主要領域Ｒ０）が印刷され、日付情報等（第１領域Ｒ１）が印刷された商品が完成する。
【００３６】
内容物の収納が行われた商品は、通販会社に配送される。通販会社においては、所定の倉庫に商品が収容される。通販会社の倉庫においては、商品は、商品種類ごとに区分して収容され、商品種類を特定することができれば、商品を取り出すことが可能な状態で保管される。
【００３７】
＜２．３．商品の注文＞
商品が通販会社に確保された段階で、すなわち包装体Ｐに内容物が収納・封緘された商品が通販会社の倉庫に収納された段階で、通販会社の販売管理サーバ３０には、その商品の商品情報が登録される。販売管理サーバ３０は、ＷＷＷサーバとしての機能も備え、ＥＣサイトを開設している。そのため、販売管理サーバ３０は、登録された商品情報をＥＣサイトにおいて閲覧可能としておき、ＥＣサイトを介して注文を受け付け可能としている。一般に知られているＥＣサイトと同様にして、利用者は、利用者端末４０から販売管理サーバ３０にアクセスし、商品を特定するとともに、決済情報、配送先情報を入力して注文を行う。この際、本実施形態では、購入者セグメントの入力も行う。購入者セグメントとは、注文者である購入者を複数に区分するための情報である。例えば、複数に区分するための属性としては、特に限定されないが、性別、年齢、居住地等を用いることができる。本実施形態では、購入者セグメントとして、年代と性別の組合せを用いている。例えば、図４（ｃ）に示すように「３０代男性」、「４０代女性」等の購入者セグメントが用いられる。なお、購入者セグメントは注文者の属性と言い換えることもできる。
【００３８】
＜２．４．通販会社＞
通販会社では、販売管理サーバ３０が受け付けた注文に基づいて、出荷する商品の製造を行う（第３工程）。具体的には、対応する商品を抽出し、広告情報の印刷を行う。販売管理サーバ３０は、コンピュータネットワークを介した注文に基づいて、注文された商品とは異なる商品を特定し、特定された商品を広告するための広告情報と、広告される商品の注文を行うためのサイトへのアクセス情報を取得する広告情報取得手段を有している。この広告情報取得手段を利用して、販売管理サーバ３０が受け付けた注文に基づいて、対応する商品を抽出する。商品の注文は、商品の種類に対応して行われる。したがって、注文情報に含まれる商品ＩＤに対応する所定の格納位置から、対応する商品を注文数だけピッキングする。すなわち、商品を取り出す。そして、ピッキングした商品を印刷機に搬送する。そのため、並行して、販売管理サーバ３０では、取得した注文情報を用いて広告関連情報を参照し、対応する広告商品を特定する。本実施形態では、注文情報のうち、商品ＩＤと購入者セグメントの組合せに基づいて、広告商品ＩＤを取得することにより、広告商品が特定される。この広告商品は、内容物となる商品とは異なる商品である。すなわち、内容物となる商品とは異なる商品は、注文者の属性に基づいて選定される。
【００３９】
販売管理サーバ３０は、取得された広告情報とアクセス情報を、第３工程において印刷を行う印刷機に出力する手段を有している。そのため、販売管理サーバ３０は、広告商品が特定されたら、広告商品ＩＤに対応する広告画像とアクセス情報を印刷機に出力、送信する。印刷機は、販売管理サーバ３０から受信した広告画像を、搬送されてきた商品の包装体Ｐの第２領域Ｒ２に印刷する。この印刷機は、どのような印刷方式に対応するものであってもよいが、例えば、インクジェット方式、レーザー方式、昇華転写方式に対応したものを用いることができる。注文により多種多様な商品が選択され、さらにその商品に対応して異なる広告画像を印刷する必要があるため、オフセット印刷や、グラビア印刷等の従来の印刷方式でないことが好ましい。
【００４０】
また、通販会社では、広告情報において広告されている商品を購入するためのアクセス情報を印刷する。アクセス情報とは、商品を購入するために用いられる情報であり、例えば、その商品がＥＣサイトで販売されている場合、そのＥＣサイトのＵＲＬ等が該当する。アクセス情報は、視認可能な情報として形成されていてもよいし、１次元のバーコードや２次元コード等のコード情報の形態で形成されていてもよいし、また、視認可能な情報とコード情報が併用されていてもよい。また、アクセス情報は、商品名で特定されるレベルの大まかな情報であってもよいし、商品名が同一であっても、さらに細かい商品の種類が特定されるレベルの詳細な情報であってもよい。アクセス情報が商品の種類が特定されるレベルの詳細な情報である場合は、そのアクセス情報を用いることにより、内容量等が特定された商品の注文画面に直接アクセスすることができる。広告情報の印刷の結果、図６（ｄ）に示したような包装体が得られる。
【００４１】
第２領域Ｒ２に広告情報が印刷された商品は、購入者の元に配送される。購入者は、商品を受け取るが、上述のように、この商品の包装体の第２領域Ｒ２には、広告情報とアクセス情報が印刷されている。購入者は、印刷されている広告を見て興味を持ったら、併せて印刷されているアクセス情報を利用して、広告されている商品の注文ページにアクセスすることができる。例えば、アクセス情報が２次元コードの態様で記録されている場合は、利用者端末４０が備えるカメラで、アクセス情報を撮影する操作を行うことにより、利用者端末４０は、２次元コードに記録されたアクセス情報を取得する。そして、取得したアクセス情報を用いて、利用者端末４０は、ネットワーク５０を介して、販売管理サーバ３０の商品注文ページにアクセスすることができる。これにより、購入者は、購入した商品に関連する商品を簡易に注文することができて利便性が高まる。一方、通販会社は、購入者のさらなる購入意欲をそそり、販売促進を行うことができる。
【００４２】
一方、販売管理サーバ３０は、第２領域Ｒ２に印刷するために、広告画像を印刷機に送信した際、広告画像を使用した旨の情報として広告商品ＩＤを印刷管理サーバ１０に送信する。印刷管理サーバ１０では、販売管理サーバ３０から広告画像を使用した旨の情報として広告商品ＩＤを受信すると、受信した広告商品ＩＤに対応する商品ＩＤの使用回数を１だけ増加させる。このようにして、通販会社において、広告画像を使用して印刷する度に、使用した広告画像に対応する商品ＩＤの使用回数が増え、それが印刷管理サーバ１０に記録される。このようにして、印刷管理サーバ１０には、各広告画像の使用回数が記録される。印刷会社は、記録された使用回数に基づいて、広告画像の使用料金を、通販会社に請求することができる。
【００４３】
以上、本発明の好適な実施形態について説明したが、本発明は、上記実施形態に限定されず、種々の変形が可能である。例えば、上記実施形態では、印刷管理サーバ、充填管理サーバ、販売管理サーバの３つのサーバが、ネットワークを介して、接続された構成としたが、必要な情報を記憶、管理することができ、利用者端末からアクセスされるＥＣサイトと連携可能な構成であれば、特に限定されない。例えば、１つのコンピュータで、全体を管理するように構成されていてもよい。
【符号の説明】
【００４４】
１０・・・印刷管理サーバ
２０・・・充填管理サーバ
３０・・・販売管理サーバ
４０・・・利用者端末
５０・・・ネットワーク
１００・・・広告情報管理システム
【図１】
2020024518.tif 000003
【図２】
2020024518.tif 000004
【図３】
2020024518.tif 000005
【図４】
2020024518.tif 000006
【図５】
2020024518.tif 000007
【図６】
2020024518.tif 000008